(57)【要約】   【課題】  ボウルの排水管に被せたホースを簡単且つ確実に締付けることができる便器装置を提供する。  【解決手段】  締付け具３５は、両端部にフランジ部３６ａ、３６ｂを備える円弧状の保持部３６と、両端部にフランジ部３７ａ、３７ｂを備える円弧状の保持部３７と、対向する一対のフランジ部（３６ａと３７ａ及び３６ｂと３７ｂ）を固着する固着手段３８とから成る。固着手段３８はボルト３８ａとナット３８ｂである。対向するフランジ部にフックＱ１とフック係止部Ｑ２をそれぞれ備える。保持部３６、３７の内半径Ｒ１は排水管２３に被せた状態のホース２５の外半径Ｒ２と同じ長さである。フックＱ１とフック係止部Ｑ２により仮装着した状態で対向するフランジ部間（３６ａと３７ａ及び３６ｂと３７ｂ）に隙間Ｑ３が保持される形状である。このフランジ部３７ａ、３７ｂに固着手段３８としてのナット３８ｂを仮保持する保持部４０が設けられる。  【選択図】図２
2008095439.tif 000002
【特許請求の範囲】
【請求項１】
便器装置であって、
ボウルの排水管に被せたホースを外周から締付ける締付け具が、両端部にフランジ部を備える一対の円弧状の保持部とこの一対のフランジ部を固着する固着手段（ボルトとナット）とから成り、
前記保持部の半径は前記排水管に被せた状態のホースの外半径と同じで、前記フランジ部には固着手段としてのボルト用の孔を備え、対向する前記フランジ部にフックとフック係止部をそれぞれ備え、
前記一対の保持部を前記フックとフック係止部により仮装着した状態で対向する前記フランジ部間に隙間が保持されることを特徴とする便器装置。
【請求項２】
請求項１に記載の便器装置であって、一対の対向する前記フランジ部の一方に前記固着手段としてのナットを仮保持する保持部が設けられることを特徴とする便器装置。
【請求項３】
請求項１又は請求項２に記載の便器装置であって、前記締付け具は樹脂製であることを特徴とする便器装置。
【発明の詳細な説明】
【技術分野】
【０００１】
本発明は、便器装置に関し、ボウルの排水管に被せる排水用のホースを簡単且つ確実に取付けることができる技術に関する。
【背景技術】
【０００２】
従来、便器装置の構成として特許文献１の方法が知られている。特許文献１によれば、図１０に示すように、ボウル１の底部の排水口１ａから便器後方に向かって排水管２が延びており、この排水管２の終端にはケース体３に収納されたターントラップ部６の一端が接続される。また、外部配水管１３がケース体３に接続される。
【０００３】
ターントラップ部６は、ホース７とホース７の先端に取付けられた樹脂製あるいは金属製の終端部材８とからなる。終端部材８には、回転軸部１０の回転を伝えるアーム部材９の一端が取付られる。
【０００４】
そして、ターントラップ部６の終端１４がアーム部材９に固着され、アーム部材９は回転軸部１０に軸支されて、図示しないモータの回転にともなって自由端である終端１４が上下方向に回転する。
【０００５】
さらに、このホース７を排水管２に固着する構成として特許文献２の方法が知られている。
【０００６】
特許文献２によれば、図１１に示すように、排水管２に被せたホース７を固着するホースバンド２０は、円弧状の一対のバンド部１５、１６と、それぞれのバンド部１５、１６の一端部と他端部とにそれぞれ設けられた結合用フランジ１７、１８とを備える。
【０００７】
そして、結合用フランジ１７、１８を締結具１９で締付けて一対のバンド部１５、１６を嵌合する。
【特許文献１】特開２００５−２１３７６５号公報
【特許文献２】実開平７−８６８７号公報
【発明の開示】
【発明が解決しようとする課題】
【０００８】
ところが、特許文献２のホースバンド２０を取付る際に、ホースバンド２０を手で保持して取付位置を確認しながら締結具１９で仮締めし、その後本締めする必要があった。このため、作業性が悪いという問題があった。
【０００９】
そこで、本発明は、ボウルの排水管に被せたホースに容易に位置決めと仮装着ができるとともに簡単に本固着ができて作業性が向上する便器装置を提供することを目的とする。
【課題を解決するための手段】
【００１０】
請求項１の発明は、便器装置であって、ボウルの排水管に被せたホースを外側から締付ける締付け具が、一対の円弧状の保持部とこの保持部の両端部に備えるフランジ部と一対のフランジ部を引寄せる固着手段とから成り、前記保持部は前記排水管に被せた状態のホースの外半径と同じ半径の帯状板で、フランジ部には固着手段としてのボルト用の孔を備え、対向するフランジ部にフックとフック係止部をそれぞれ備え、前記締付け具を前記フックとフック係止部により仮装着した状態で一対の対向する前記フランジ部間に隙間が保持されることを特徴としている。
【００１１】
請求項２の発明は、請求項１に記載の便器装置であって、一対の対向する前記フランジ部の一方には前記ボルト用のナットを仮保持する挿入孔が設けられることを特徴としている。
【００１２】
請求項３の発明は、請求項１又は請求項２に記載の便器装置であって、前記締付け具は樹脂製であることを特徴としている。
【発明の効果】
【００１３】
請求項１の発明によれば、前記保持部は前記排水管に被せた状態のホースの外半径と同じ半径なので、前記締付け具を所定の締付け位置に合わせるだけで前記保持部がホースに密着するので位置決めが容易且つ確実にできる。
【００１４】
また、前記締付け具は対向するフランジ部にフックとフック係止部をそれぞれ備えるので、前記フックとフック係止部を係止するだけで前記締付け具を容易且つ確実に仮装着できる。
【００１５】
そして、前記締付け具が仮装着の状態で一対の対向する前記フランジ部間に隙間が保持されるので、この隙間を固着手段の締め代として仮装着の状態から確実に本固着することができるので作業性が向上する。
【００１６】
請求項２の発明によれば、一対の対向する前記フランジ部の一方には前記ボルト用のナットを仮保持する挿入孔が設けられるので、ナットを予め挿入孔に仮保持しておくことができる。このため、固着手段はボルトを締めこむ動作だけで容易に固着できるので作業性が向上する。
【００１７】
請求項３の発明によれば、前記締付け具は樹脂製なので弾力性を保持するので請求項１の発明の効果と同じ効果をさらに確実に得ることができる。
【発明を実施するための最良の形態】
【００１８】
以下に、本発明の実施形態を図1〜図９に基づいて説明する。
【００１９】
＜便器装置の構成＞  
図１に示すように、便器装置２１はボウル２２の底部の排水口２２ａから便器後方に向かって排水管２３が延びており、この排水管２３の終端２３ａの外周にケース体２４に収納されたターントラップ部２７のホース２５を被せて接続される。また、ケース体２４に外部配水管２６が接続される。
【００２０】
そして、ホース２５は締付け具３５を用いて排水管２３に確実に固着される。
【００２１】
なお、ターントラップ部２７は蛇腹状の樹脂、ゴム等の弾力性材質からなるホース２５と、その先端に取付けられた終端部材２８とからなる。
【００２２】
終端部材２８には、回転軸部３０の回転を伝えるアーム部材２９の一端が取付られ、図示しないモータによるアーム部材２９の回転にともなってターントラップ部２７の自由端である終端３１が上下方向に回転することにより用便後の排出ができる。
【００２３】
図２に示すように、締付け具３５は、両端部にフランジ部３６ａ、３６ｂを備える円弧状の保持部３６と、両端部にフランジ部３７ａ、３７ｂを備える円弧状の保持部３７と、対向する一対のフランジ部（３６ａと３７ａ及び３６ｂと３７ｂ）を固着する固着手段３８とから成る。
【００２４】
締付け具３５の材質は樹脂製で、固着手段３８はボルト３８ａとナット３８ｂが用いられる。
【００２５】
フランジ部（３６ａ、３６ｂ、３７ａ、３７ｂ）にはボルト３８ａ用の挿入孔３９を備え、対向するフランジ部にフックＱ１とフック係止部Ｑ２をそれぞれ備える。
【００２６】
ここで、保持部３６、３７の内半径Ｒ１は排水管２３に被せた状態のホース２５の外半径Ｒ２と同じ長さである。
【００２７】
より好ましくは、保持部３６、３７の内半径Ｒ１をホース２５の外半径Ｒ１より僅かに小さく（例えば０．５ｍｍマイナス）することで、保持部３６、３７のホース２５への装着時の食付きが良くなるので仮装着の安定性をさらに高めることができる。
【００２８】
そして、一対の保持部３６、３７がフックＱ１とフック係止部Ｑ２により仮装着した状態で対向するフランジ部間（３６ａと３７ａ及び３６ｂと３７ｂ）に隙間Ｑ３＝１ｍｍが保持される。
【００２９】
また、一方のフランジ部３７ａ、３７ｂにナット３８ｂを仮保持する保持部４０がフランジ部３７ａ、３７ｂの側面に開口を備えて設けられる。
【００３０】
図３、図４、図５に示すように、上方の保持部３６は底面４１（幅Ｔ１＝１３ｍｍ、厚さＰ＝３ｍｍ）と高さＴ２＝６ｍｍの両側面４２からなる断面溝型形状で、底面４１を内側にして半円形に形成される。
【００３１】
保持部３６の全長Ｓ１＝１４０ｍｍで、保持部３６の溝型形状内には底面４１と両側面４２に固着する三組の補強用リブ４３が設けられる。
【００３２】
フックＱ１はフランジ部３６ａの底面４１から引掛け代Ｐ１＝３ｍｍで突出して形成され、フックＱ１の反対側にはフックＱ１用の補強用リブ４３が設けられる。
【００３３】
フランジ部３６ｂのフック係止部Ｑ２は、フックＱ１を容易に挿入するためにフック係止部Ｑ２の領域における底面４１の厚さＰ３＝２ｍｍで、フランジ先端部から長さＰ２＝５ｍｍの位置に補強用リブ４３が設けられる。このため、引掛け代Ｐ１＝３ｍｍのフックＱ１をフランジ先端部からスムーズに挿入して引掛けることができる。
【００３４】
次に、図６〜図９を用いて下方の保持部３７の構造の説明をするが、図３、図４、図５で説明した上方の保持部３６と同様の構成に関しては同じ符合を用いてその説明を省略する。
【００３５】
図６、図７、図８（ａ）、（ｂ）、図９に示すように、フランジ部３７ａ、３７ｂの一方の側面に設けられるナット３８ｂ用の保持部４０の内部両側面には、ナット３８ｂの図示しない平行な両側面を保持するための一対の突起Ｙを備える。
【００３６】
突起Ｙは半径０．５ｍｍの半円形状で、この突起Ｙによってナット３８ｂの両側面が線接触するので挿入が容易にできるとともに、挿入後は脱落しないように安定して保持することができる。また、ナット３８ｂを保持部４０の奥壁に当接して挿入した状態でナット３８ｂのネジ孔の中心がボルト３８ａ用の挿入孔３９の中心と重なるようになっている。
【００３７】
＜便器装置の作用＞
上記の様に、保持部３６、３７の内半径Ｒ１が排水管２３に被せた状態のホース２５の外半径Ｒ２と同じなので、フックＱ１をフック係止部Ｑ２に装着した状態でフックＱ１とフック係止部Ｑ２は安定して仮固着できるので位置決めが容易且つ確実にできる。
【００３８】
そして、対向するフランジ部間（３６ａと３７ａ及び３６ｂと３７ｂ）に締め代としての隙間Ｑ３＝２ｍｍが保持されるので、仮固着の状態の保持部３６、３７はボルト３８ａとナット３８ｂによって本締めによって所定の位置で確実に本固着することができるので作業性が向上する。
【００３９】
ナット３８ｂを保持部４０の奥壁に当接して挿入した状態でナット３８ｂのネジ孔の中心がボルト３８ａ用の挿入孔３９の中心と重なるようになっているので、本締めの際にナット３８ｂを手で保持する必要
なくボルト３８ａを捩じ込むことができるので、作業性が格段に向上する。
【００４０】
以上、本発明の実施例を図面に基づいて説明したが、具体的な構成はこの実施例に限られるものではなく本発明の要旨を逸脱しない範囲の設計変更等があっても本発明に含まれる。
【００４１】
締付け具３５はターントラップ式以外の排水構造に用いられるホースにも適用できる。また、ホースは部蛇腹状でない直管状のホースでも構わない。
【００４２】
保持部３６又は保持部３７の保持部の両端部にフックＱ１を同時に形成し、対向する他の保持部の両端部に同時にフック係止部Ｑ２を形成する構成でも構わない。
【００４３】
締付け具３５は鋼製等の材質を用いても構わない。
【図面の簡単な説明】
【００４４】
【図１】本発明の実施形態における便器装置の側面透視図である。
【図２】本発明の実施形態における便器装置の、図１のＡ−Ａ断面図である。
【図３】本発明の実施形態における便器装置の、締付け具３５の保持部３６の平面図である。
【図４】本発明の実施形態における便器装置の、保持部３６の側面図である。
【図５】本発明の実施形態における便器装置の、保持部３６の側面断面図である。
【図６】本発明の実施形態における便器装置の、締付け具３５の保持部３７の平面図である。
【図７】本発明の実施形態における便器装置の、保持部３７の側面図である。
【図８】本発明の実施形態における便器装置の、(ａ)は図７のＢ−Ｂ断面図、（ｂ）はＣ−Ｃ断面図である。
【図９】本発明の実施形態における便器装置の、保持部３７の側面断面図である。
【図１０】従来の便器装置の側面透視図である。
【図１１】従来の他の便器装置の排水管２に被せたホースを固着するホースバンド２０の状態を示す側面図である。
【符号の説明】
【００４５】
２３  排水管
２７  ホース
３５  締付け具
３６  保持部
３６ａ  フランジ部
３６ｂ  フランジ部
３７  保持部
３７ａ  フランジ部  
３７ｂ  フランジ部  
３８  固着手段
３８ａ  ボルト
３８ｂ  ナット
４０  保持部
Ｑ１  フック
Ｑ２  フック係止部
Ｒ１  内半径
Ｒ２  外半径
【図１】
2008095439.tif 000003
【図２】
2008095439.tif 000004
【図３】
2008095439.tif 000005
【図４】
2008095439.tif 000006
【図５】
2008095439.tif 000007
【図６】
2008095439.tif 000008
【図７】
2008095439.tif 000009
【図８】
2008095439.tif 000010
【図９】
2008095439.tif 000011
【図１０】
2008095439.tif 000012
【図１１】
2008095439.tif 000013